(57)【特許請求の範囲】
【請求項１】
内容物を収納する収納空間を有する容器本体と、この容器本体の口部に着脱自在に係合保持される蓋体と、容器本体の口部及び蓋体の相互間にて挟持され容器本体内を気密状態に保持するパッキンとを備えた容器であって、
前記パッキンは、容器本体の口部内で、該容器本体の内方側を凹としてその中央部の背面凸部を起点とした弾性的な変位を可能とするドーム状断面をなす本体部分と、この本体部分の縁部から起立する環状周壁を経て径方向外側に延びるフランジを有し、蓋体の裏面にて、該蓋体の周壁内面に設けられたアンダーカットに、該フランジの端縁を、該周壁内面と間に隙間を持たせて係合させて、該本体部分とともに脱落不能でかつ、極わずかにスライド可能に係止されるＬ字断面形状となる環状部分とからなり、
前記環状部分は、該フランジ上面から突出し、口部の端面で蓋体の裏面天壁との間で挟持される第１のシール部と、該環状周壁から径方向外側に膨出して、この第１のシール部の挟持度合の漸増に伴う本体部分の弾性的な変位にて口部の内壁面との当接面圧を徐々に大きくしてその相互間を気密状態に維持する第２のシール部を備えたことを特徴とする気密容器。
【請求項２】
前記蓋体が、パッキンを保持する内蓋と、この内蓋を脱落不能でかつ、回転不能に保持する外蓋からなる、請求項１記載の気密容器。
【発明の詳細な説明】
【技術分野】
【０００１】
本発明は、蓋体と容器本体との相互間にパッキンを配設した気密容器に関するものであり、蓋体の着脱時の使用感を改善するとともに、シール部の摩耗を軽減して長期にわたり気密状態を保持しようとするものである。
【背景技術】
【０００２】
揮発成分を含んだ化粧品や薬品あるいは食品はその成分が簡単に揮散することがないよう気密性の高い容器が使用されている。
【０００３】
気密性を高めるための具体的な構造としては、従来、蓋体の内側に締め代を有する軟材質からなるシート状のパッキンを配置して、該蓋体を閉じる時に、該蓋体によってパッキンを容器の口部端面に押し付けてその相互間で挟持する構造が採用されていた。
【０００４】
しかしながら、従来の気密構造は、容器本体や蓋体の成形精度にばらつきがあった場合にパッキンの締め代にもばらつきが生じ安定したシールができないことがあること、また、蓋体の開け閉めが頻繁に行なわれるとシール部において摩耗が進行し蓋体を締め切ってもその相互間に隙間が形成されるのが避けられない不具合があった。
【０００５】
この点に関する先行技術としては、蓋体の天板の内面に凹部を設け、蓋を閉める際に、この凹部にパッキンの外周縁部を入れ込むようにした容器が提案されている（例えば特許文献１参照）が、この種の容器においてもパッキンにヘタリが生じたり摩耗が進行した場合にはやはり気密性が保持できなくなる場合があり、未だ改善の余地が残されていた。
【特許文献１】特開2005−206199号公報
【発明の開示】
【発明が解決しようとする課題】
【０００６】
本発明の課題は、構造の複雑化を伴うことなしに高い気密性を長期にわたって維持することができ、しかも蓋を閉める際に確実にシール部材が機能していることが察知できる使用感の良好な新規な気密容器を提案するところにある。
【課題を解決するための手段】
【０００７】
本発明は、内容物を収納する収納空間を有する容器本体と、この容器本体の口部に着脱自在に係合保持される蓋体と、容器本体の口部及び蓋体の相互間にて挟持され容器本体内を気密状態に保持するパッキンとを備えた容器であって、
前記パッキンは、容器本体の口部内で、該容器本体の内方側を凹としてその中央部の背面凸部を起点とした弾性的な変位を可能とするドーム状断面をなす本体部分と、この本体部分の縁部から起立する環状周壁を経て径方向外側に延びるフランジを有し、蓋体の裏面にて、該蓋体の周壁内面に設けられたアンダーカットに、該フランジの端縁を、該周壁内面と間に隙間を持たせて係合させて、該本体部分とともに脱落不能でかつ、極わずかにスライド可能に係止されるＬ字断面形状となる環状部分とからなり、
前記環状部分は、該フランジ上面から突出し、口部の端面で蓋体の裏面天壁との間で挟持される第１のシール部と、該環状周壁から径方向外側に膨出して、この第１のシール部の挟持度合の漸増に伴う本体部分の弾性的な変位にて口部の内壁面との当接面圧を徐々に大きくしてその相互間を気密状態に維持する第２のシール部を備えたことを特徴とする気密容器であり、前記蓋体は、パッキンを保持する内蓋と、この内蓋を脱落不能でかつ、回転不能に保持する外蓋にて構成することができる。
【発明の効果】
【０００８】
パッキンの第１のシール部が容器の口部の端面と蓋体の裏面天壁との間で挟持され、その挟持度合が増していくに従いパッキンの本体部分が弾性的に変位していき第２のシール部が容器の口部の内壁面に当接するため二重にシールがなされる。
【０００９】
蓋体を締め込んでいくほど第２のシール部の当接面圧が大きくなる（以下、このような状態をシール強度がアップするということとする）ため、シール部材が利いているのが容易に検知でき、使用感が改善される。
【発明を実施するための最良の形態】
【００１０】
以下、図面を用いて本発明を具体的に説明する。
図１は本発明に従う気密容器の実施の形態を模式的に示した図であり、図２（蓋を閉じる前）、図３（蓋を閉じた後）はその要部を拡大して示した図である。
【００１１】
図における１は内容物を収納する収納空間を有する容器本体、２は容器本体１の口部1aにねじ込んで係合保持される蓋体である。この蓋体２はパッキンを保持する内蓋2aと、この内蓋2aを保持する外蓋2bからなる例で示してあり、内蓋2aの外壁には凸部2a１と縦リブ2a２が一体的に設けられる一方、外蓋2bの内壁には凸部2a１に係合するアンダーカット2b１と縦リブ2a２に適合する溝部2b２が設けられていて、内蓋2aは外蓋2bにおいて脱落不能でかつ、回転不能に保持されている。
【００１２】
また、３は容器本体１の口部1a及び蓋体２の相互間で挟持され容器本体内を気密状態に保持するゴムやエラストマー等の軟材質にて構成されるパッキンである。
【００１３】
パッキン３は、容器本体１の口部内で、容器本体１の内方側を凹としてその中央部の背面凸部Ｏを起点にして弾性的な変位を可能とするドーム状断面をなす本体部分3aと、この本体部分3aの縁部から起立する環状周壁3b３を経て径方向外側に延びるフランジ3b４を有する環状部分3bからなり、このうち、前記環状部分3bは、フランジ3b４の上面から突出し、口部1aの端面で蓋体２の裏面天壁との間で挟持される第１のシール部3b１と、環状周壁3b３から径方向外側に膨出して、第１のシール部3b１の挟持度合の漸増に伴う本体部分3aの弾性的な変位にて口部1aの内壁面との当接面圧を徐々に大きくしてその相互間を気密状態に維持する第２のシール部3b２を有する。
【００１４】
パッキン３の環状部分3bの外縁であるフランジ3b４の端縁と蓋体２の裏面周壁との間には、図２に示すように隙間tが形成されており、内蓋2aの周壁内面に設けられたアンダーカット４において該環状部分3bの外縁下端が当接してパッキン３そのものが内蓋2aから脱落不能でかつ、隙間Ｌの範囲で極わずかにスライドすることができるように係止されている。
【００１５】
蓋体２を容器本体１の口部1aにねじ込んでいくと、パッキン３の第１のシール部3b１は口部1の端面で内蓋2aの裏面天壁との間で挟持される。この時、パッキン３の環状部分3bは隙間Ｌの範囲でスライドして本体部分3aはその背面凸部Ｏを起点にして弾性的に変位して図３に示す如く、第２のシール部3b２が口部1aの内壁面に当接する。
【００１６】
第１のシール部3b１の挟持度合が漸増するにつれて第２のシール部3b２の口部1aの内壁面に対するシール強度は大きくなりその部位は高い気密状態に保たれるとともに、シール部材が機能していることが察知される。
【００１７】
蓋体２の取り外しに際して第１のシール部3b１においてシール状態を解除し、さらに、本体部分3aが元の断面形状に復元していくと間隔Ｌの範囲でパッキン３がスライドして再びアンダーカット４において該環状部分3bの外縁下端が当接し、これにより、本体部分3aは、常に、その背面凸部Ｏを起点とする弾性的な変位を必ず惹起させることが可能となる。
【産業上の利用可能性】
【００１８】
構造の複雑化を伴うことなしに高い気密性が長期に維持され、しかも蓋の締め込み度合が大きくなるに従ってシール強度がアップしていく使用感のよい気密容器が提供できる。
【図面の簡単な説明】
【００１９】
【図１】本発明に従う気密容器の実施の形態を示した図である。
【図２】図１に示した気密容器（蓋体のみ）の要部の断面を拡大して示した図である。
【図３】図１に示した気密容器（蓋体を閉じた状態）の要部の断面を拡大して示した図である。
【符号の説明】
【００２０】
１  容器本体
1a  口部
２  蓋体
2a  内蓋
2a１  凸部
2a２  縦リブ
2b  外蓋
2b１  アンダーカット
2b２  溝部
３  パッキン
3a  本体部分
3b  環状部分
3b１  第１のシール部
3b２  第２のシール部
４  アンダーカット
ｔ  隙間
Ｌ  隙間
０  背面凸部
【図１】
0004764198.tif 000002
【図２】
0004764198.tif 000003
【図３】
0004764198.tif 000004